(57)【要約】【課題】寿命が長く、生産性および経済性に優れ、かつ衛生的なＬＥＤ捕虫器を提供する。【解決手段】虫が侵入できる大きさの開口部１１を有する捕虫箱体１０と、捕虫箱体１０の一部に、捕虫箱体１０の内部を照らすように取付けられたＬＥＤユニット２０と、捕虫箱体１０の内面に設けられ、虫を捕獲する粘着力を有する粘着シート３０とを備え、ＬＥＤユニット２０の光に誘われて開口部１１から捕虫箱体１０に侵入した虫を、粘着シート３０の粘着力で捕獲する。【選択図】      図１
2018093781.tif 000002
【特許請求の範囲】
【請求項１】
虫が侵入できる大きさの開口部を有する捕虫箱体と、
前記捕虫箱体の一部に、前記捕虫箱体の内部を照らすように取付けられたＬＥＤユニットと、
前記捕虫箱体の内面に設けられ、虫を捕獲する粘着力を有する粘着シートと、を備え、
前記ＬＥＤユニットの光に誘われて前記開口部から前記捕虫箱体に侵入した虫を、前記粘着シートの粘着力で捕獲することを特徴とするＬＥＤ捕虫器。
【請求項２】
前記捕虫箱体を紙製とし、
前記ＬＥＤユニットを、前記捕虫箱体に着脱自在に取付け、
虫を捕獲後、前記ＬＥＤユニットを前記捕虫箱対から取り外し、前記捕虫箱体を捕獲した虫と共に廃棄することを特徴とする請求項１に記載のＬＥＤ捕虫器。
【請求項３】
前記ＬＥＤユニットを、ＬＥＤ本体と、当該ＬＥＤ本体を水密に覆う透明または半透明のカバーとで構成したことを特徴とする請求項１または２に記載のＬＥＤ捕虫器。
【請求項４】
前記ＬＥＤ本体を、光波長４０５ｎｍ以下の紫外線を発光するものとしたことを特徴とする請求項１乃至３のうちいずれか一つに記載のＬＥＤ捕虫器。
【請求項５】
前記捕虫箱体に、吊り下げ用の穴部を形成したことを特徴とする請求項１乃至４のうちいずれか一つに記載のＬＥＤ捕虫器。
【発明の詳細な説明】
【技術分野】
【０００１】
本発明は、ＬＥＤ（発光ダイオード）の光を利用して虫を捕獲する捕虫器に関する。
【背景技術】
【０００２】
蚊などの害虫は電灯などの光に集まる習性がある。こうした害虫の習性に鑑み、従来、家庭などで広く使用される蛍光灯を利用した捕虫器が創案されている（例えば、特許文献１参照）。
【０００３】
この捕虫器は、市販の蛍光灯をそのまま利用し、その下にプラスチック製の捕虫ケースを設け、当該捕虫ケースの下面に交換可能な粘着シートを取付けている。
これにより、蛍光灯の光に誘われて集まった害虫を粘着シートで捕獲し、捕獲後、粘着シートを捕獲した害虫と共に廃棄するようにしている。
【先行技術文献】
【特許文献】
【０００４】
【特許文献１】特開２００２−３０６０４４号公報
【発明の概要】
【発明が解決しようとする課題】
【０００５】
この従来の捕虫器は、市販の蛍光灯をそのまま利用するので構造が比較的簡易であり、また、粘着シートで捕獲した害虫を当該粘着シートと共に廃棄するので、捕獲後の処理が比較的容易であるといった利点がある。
【０００６】
しかし、一般に、蛍光灯の寿命はおよそ５０００時間と限定される。
また、蛍光灯の放熱量は消費電力と共に比較的多いため、それに対応した頑丈な捕虫ケースが必要となり、生産性と経済性に問題がある。
さらに、捕獲した害虫を粘着シートのみと共に廃棄するので、捕虫ケース内に害虫の死骸が残存して不衛生になるといった問題もある。
【０００７】
そこで本発明の目的とするところは、寿命が長く、生産性および経済性に優れ、かつ衛生的なＬＥＤ捕虫器を提供することにある。
【課題を解決するための手段】
【０００８】
上記の目的を達成するために、本発明の請求項１に記載のＬＥＤ捕虫器（１）は、虫が侵入できる大きさの開口部（１１）を有する捕虫箱体（１０）と、前記捕虫箱体（１０）の一部に、当該捕虫箱体（１０）の内部を照らすように取付けられたＬＥＤユニット（２０）と、前記捕虫箱体（１０）の内面に設けられ、虫を捕獲する粘着力を有する粘着シート（３０）とを備え、前記ＬＥＤユニット（２０）の光に誘われて前記開口部（１１）から前記捕虫箱体（１０）に侵入した虫を、前記粘着シート（３０）の粘着力で捕獲することを特徴とする。
【０００９】
また、請求項２に記載のＬＥＤ捕虫器（１）は、前記捕虫箱体（１０）を紙製とし、前記ＬＥＤユニット（２０）を、前記捕虫箱体（１０）に着脱自在に取付け、虫を捕獲後、前記ＬＥＤユニット（２０）を前記捕虫箱対から取り外し、前記捕虫箱体（１０）を捕獲した虫と共に廃棄することを特徴とする。
【００１０】
また、請求項３に記載のＬＥＤ捕虫器（１）は、前記ＬＥＤユニット（２０）を、ＬＥＤ本体（発光ダイオード）（２１）と、当該ＬＥＤ本体（２１）を水密に覆う透明または半透明のカバー（２５）とで構成したことを特徴とする。
【００１１】
また、請求項４に記載のＬＥＤ捕虫器（１）は、前記ＬＥＤ本体（２１）を、光波長４０５ｎｍ以下の紫外線を発光するものとしたことを特徴とする。
【００１２】
さらに、請求項５に記載のＬＥＤ捕虫器（１）は、前記捕虫箱体（１０）に、吊り下げ用の穿孔部（１９）を形成したことを特徴とする。
【００１３】
なお、カッコ内の記号は、図面および後述する発明の実施の形態に記載された対応要素または対応事項を示す。
【発明の効果】
【００１４】
本発明の請求項１に記載のＬＥＤ捕虫器によれば、虫が侵入できる大きさの開口部を有する捕虫箱体と、その捕虫箱体の一部に、捕虫箱体の内部を照らすように取付けられたＬＥＤユニットと、捕虫箱体の内面に設けられ、虫を捕獲する粘着力を有する粘着シートとを備え、ＬＥＤユニットの光に誘われて開口部から捕虫箱体に侵入した虫を、粘着シートの粘着力で捕獲するので、従来技術の捕虫器と比較して、寿命が長く、生産性および経済性に優れ、かつ衛生的である。
【００１５】
すなわち、本発明の捕虫器はＬＥＤ本体（発光ダイオード）を使用しており、このＬＥＤ本体は従来の蛍光灯よりも極めて長い寿命を有するので（一般に、蛍光灯の８倍）、捕虫器の寿命を大幅に延ばすことができる。
【００１６】
また、ＬＥＤ本体は、消費電力と共にその放熱量も蛍光灯よりも極めて小さいので、捕虫箱体を、例えば、耐熱性の低い薄い紙で形成することもできる。従って、捕虫箱体を廉価かつ容易に製造することができ、経済性および生産性に優れる。また、電気料金も削減することができるので経済的である
【００１７】
さらに、捕虫箱体を、例えば、薄い紙で形成した場合、捕虫箱体も粘着シートおよびそれに付着した害虫と共に廃棄し、新たな捕虫箱体を使用することができるので極めて衛生的である。
【００１８】
また、請求項２に記載のＬＥＤ捕虫器によれば、請求項１に記載の発明の作用効果に加えて、捕虫箱体を紙製とし、ＬＥＤユニットを捕虫箱体に着脱自在に取付け、虫を捕獲後、ＬＥＤユニットを捕虫箱対から取り外し、捕虫箱体を捕獲した虫と共に廃棄するので、ＬＥＤ捕虫器を極めて衛生的に保つことができる。
【００１９】
また、請求項３に記載のＬＥＤ捕虫器によれば、請求項１および２に記載の発明の作用効果に加えて、ＬＥＤユニットを、ＬＥＤ本体と、ＬＥＤ本体を水密に覆う透明または半透明のカバーとで構成したので、カバーに付着した害虫を水で洗い流すことができる。なお、ＬＥＤ本体はカバーに水密に覆われているので、例えば流水で洗浄しても水がＬＥＤ本体に達することがない。従って、捕虫器をさらに衛生的に保つことができる。
【００２０】
また、請求項４に記載のＬＥＤ捕虫器によれば、請求項１乃至３に記載の発明の作用効果に加えて、ＬＥＤ本体を、光波長４０５ｎｍ以下の紫外線を発光するものとしたので、害虫をより効果的に誘うことができる。
【００２１】
すなわち、虫（害虫を含む）は、波長が３００ｎｍ〜４１０ｎｍ（特に、約３５０ｎｍ〜３８０ｎｍ）までの光に集まり易いという特性を備えていると言われ、従って、そうした波長の光を放散するＬＥＤ本体を使用することによって、害虫をより効果的に誘って捕獲することができる。
【００２２】
また、請求項５に記載のＬＥＤ捕虫器によれば、請求項１乃至４に記載の発明の作用効果に加えて、捕虫箱体に吊り下げ用の穿孔部を形成したので、所望の場所に吊り下げて使用することができる。
【図面の簡単な説明】
【００２３】
【図１】本発明の実施形態に係るＬＥＤ捕虫器を示す斜視図である。
【図２】図１に示すＬＥＤ捕虫器おけるＬＥＤユニットの断面図である。
【図３】本発明の他の実施形態に係るＬＥＤ捕虫器を示す斜視図である（ＬＥＤユニットを取り外した状態）。
【図４】本発明の実施形態に係るＬＥＤ捕虫器の粘着シートを示す断面図である。
【図５】本発明の実施形態に係るＬＥＤ捕虫器の他の粘着シートを示す断面図である。
【発明を実施するための形態】
【００２４】
図１および図２を参照して、本発明の第一実施形態に係るＬＥＤ（発光ダイオード）捕虫器について説明する。図１は、本発明の第一実施形態に係るＬＥＤ捕虫器１の斜視図であり、図２は、それに使用されるＬＥＤユニットの断面図である。
【００２５】
本発明の第一実施形態に係るＬＥＤ捕虫器１は、捕虫箱体１０、ＬＥＤユニット２０および粘着シート３０を備える。
捕虫箱体１０は紙製であり、頂壁１２、底壁１３、前壁１４、後壁１５および一対の側壁１６を有する略立方体である。また、一対の側壁１６の一方に、虫が侵入できる大きさの開口部１１を備える。この開口部１１の形成箇所と数は限定されず、他方の側壁１６、前壁１４或いは後壁１５などにも適宜数形成することができる。
【００２６】
ＬＥＤユニット２０は、捕虫箱体１０の一部に、捕虫箱体１０の内部を照らすように取付けられる。本実施形態では、頂壁１２に取付孔部１８を形成し、その取付孔部１８に着脱自在に装着している。なお、このＬＥＤユニット２０の取付け箇所や数は限定されず、頂壁１２の他に、前壁１４、後壁１５或いは一対の側壁１６に取り付けることも可能である。
【００２７】
このＬＥＤユニット２０は、商用電源に電気コードＣで接続されるＬＥＤ本体（発光ダイオード）２１と、ＬＥＤ本体２１を水密に覆う透明（または半透明）のカバー２５とで構成される。
ＬＥＤ本体２１は市販の製品を使用することができ、それを、外周溝２４を有する円板状で剛性の高い基板２２に取付け、その周囲を内周壁２３で囲んで保護している。
【００２８】
ＬＥＤ本体２１は限定されるものではないが、虫が集まり易い光波長４０５ｎｍ以下（約３００ｎｍ以上）の紫外線を発光するものが好ましい。カバー２５は、基板２２に対応した平面円形状であり、基板２２の外周溝２４に嵌入して水密状態を確保している。
なお、外周溝２４にパッキンなどのシール材を挿入し、あるいは樹脂シール剤などを塗布して水密性をさらに高めることができる。
【００２９】
粘着シート３０は、捕虫箱体１０の底壁１３の上面に載置あるいは固定されており、虫を捕獲する粘着力を有する。この粘着シート３０の数と設置箇所は限定されず、底壁１３の他に、前壁１４、後壁１５或いは側壁１６に設けることもできる。粘着シート３０の種類や構成は限定されないが、例えば、図４に示すように、樹脂や紙などのベース材３１に粘着物質３２を設けたもので形成することができる。また、図５に示すように、底壁１３などに直接塗布あるいはスプレーした粘着物質３２のみで構成することもできる。粘着物質３２は限定されないが、例えば、エチレン−プロピレン共重合体、ポリブテン、ポリイソブチレンなどのポリオレフィン系高分子エラストマーが考えられる。
【００３０】
なお、この捕虫器は、床などに載置して使用することもできるし、図３に示すように、捕虫箱体１０に延長部１７を形成し、この延長部１７に吊り下げ用の穿孔部１９を穿設し、当該穿孔部１９に紐Ｓを通して空中に吊り下げた状態で使用することもできる。
【００３１】
本実施形態に係るＬＥＤ捕虫器１は、次のように機能する。
まず、ＬＥＤ捕虫器１を載置または吊り下げた状態でＬＥＤ本体２１に通電し、そこから光を放射させる。この際、カバー２５は透明（または半透明）であるので、ＬＥＤ本体２１の光はカバー２５を通過して捕虫箱体１０の内部に照射され、その光は開口部１１を介して外から認識される。
この光に誘われて、蚊などの害虫が開口部１１を通って捕虫箱体１０の中に侵入し、底壁１３に止まった際に、その上に設けられた粘着シート３０にその粘着力で捕獲される。
このようにして多くの害虫が開口部１１から侵入して粘着シート３０に捕獲される。
【００３２】
害虫を捕獲後、ＬＥＤユニット２０を取付孔部１８から取り外し（図３参照）、捕虫箱体１０と粘着シート３０の一体物を捕獲した害虫と共に廃棄する。
廃棄後、ＬＥＤユニット２０を、新たな捕虫箱体１０の取付孔部１８に取り付ける。この際、粘着シート３０は、あらかじめ捕虫箱体１０に設けても良いし、ＬＥＤユニット２０を取り付けた後に設けても良い。このように、上記と同じ様に使用して害虫を捕獲する。
【００３３】
本実施形態に係るＬＥＤ捕虫器１は、以下の作用効果を発揮する。
（１）ＬＥＤ本体２１を備えたＬＥＤユニット２０を使用して、害虫を誘う光を照射するので、例えば、蛍光灯を使用した場合と比較して寿命が長い。ちなみに、ＬＥＤ本体（発光ダイオード）２１の寿命は通常４万時間であり、蛍光灯の約８倍である。
【００３４】
（２）ＬＥＤ本体２１は、消費電力と共にその放熱量も蛍光灯よりも極めて小さいので、捕虫箱体１０を、一般に耐熱性が低い材料である紙（例えば薄い紙）で形成することもできる。従って、捕虫箱体１０を廉価かつ容易に製造することができるので、経済性と生産性に優れる。同時に、ＬＥＤ本体２１の使用によって電気料金も削減することができるので経済的である
【００３５】
（３）捕虫箱体１０を廉価な紙で形成した場合、経済面の観点から、ＬＥＤユニット２０を当該捕虫箱体１０から取り外した後、捕虫箱体１０も粘着シート３０およびそれに付着した害虫と共に廃棄することができる。そして、それに代えて新たな捕虫箱体１０および粘着シート３０を使用することができる。従って、極めて衛生的である。
【００３６】
（４）ＬＥＤユニット２０を、ＬＥＤ本体２１と、ＬＥＤ本体２１を水密に覆う透明または半透明のカバー２５とで構成することにより、カバー２５に付着した害虫を水で洗い流すことができる。従って、当該捕虫器をさらに衛生的に保つことができる。
【００３７】
（５）ＬＥＤ本体２１を、虫が集まり易い光波長４０５ｎｍ以下（３００ｎｍ以上）の紫外線を発光するものとすることにより、害虫をより効果的に誘って捕獲することができる。従って、当該ＬＥＤ捕虫器１の性能を高めることができる。
【００３８】
（６）捕虫箱体１０に、吊り下げ用の穿孔部１９を形成することにより、穿孔部１９に紐Ｓを通して所望の場所に吊り下げて使用することができる。これにより、使用性を高めることができる。
（７）ＬＥＤ本体２１を剛性の高い基板２２に取り付けることにより、ＬＥＤ本体２１を安定姿勢で保持することができる。
（８）カバー２５を基板２２の外周溝２４に嵌入することにより、両者を水密に組付けることができる。なお、シール材などを使用すると水密性をより高めることができる。
【符号の説明】
【００３９】
１      ＬＥＤ捕虫器
１０      捕虫箱体
１１      開口部
１２      頂壁
１３      底壁
１４      前壁
１５      後壁
１６      側壁
１７      延長部
１８      取付孔部
１９      穿孔部
２０      ＬＥＤユニット
２１      ＬＥＤ本体（発光ダイオード）
２２      基板
２３      内周壁
２４      外周溝
２５      カバー
３０      粘着シート
３１      ベース材
３２      粘着物質
Ｃ      電気コード
Ｓ      紐
【図１】
2018093781.tif 000003
【図２】
2018093781.tif 000004
【図３】
2018093781.tif 000005
【図４】
2018093781.tif 000006
【図５】
2018093781.tif 000007